(57)【要約】    【課題】接着剤を必ずしも必要とせずに仮止めすることが容易であり、組み立て工程に手間が掛からず、材料コストも低く抑えることができる吹き流し形フィルタを提供すること。    【解決手段】保持枠が、当該吹き流し形フィルタの空気流入口周囲に配される外枠１０３と、前記外枠１０３内を仕切るように配される支持部材１０４とからなり、前記外枠１０３が、凹部が形成された中枠材１０６と断面コ字形またはＣ形の中枠用カバー材１０５とからなり、前記中枠材１０６の凹部に前記濾材１０１の開放端周り１０１ｃの一部を挿入した状態で前記中枠用カバー材１０５を前記中枠材１０６に固定することで、前記中枠材１０６の凹部の開口面が中枠用カバー材１０５によって覆われると共に、前記濾材１０１の開放端周り１０１ｃが前記中枠用カバー材１０５と前記中枠材１０６とに挟持されて当該濾材１０１が支持されるようにしたことを特徴とする。  【選択図】図２７
2008006366.tif 000002
【特許請求の範囲】
【請求項１】
複数の袋状の濾材が並設して保持枠に取り付けられている吹き流し形フィルタにおいて、
前記保持枠が、当該吹き流し形フィルタの空気流入口周囲に配される外枠と、前記外枠内を仕切るように配される支持部材とからなり、
前記外枠が、凹部が形成された中枠材と断面コ字形またはＣ形の中枠用カバー材とからなり、
前記中枠材の凹部に前記濾材の開放端周りの一部を挿入した状態で前記中枠用カバー材を前記中枠材に固定することで、前記中枠材の凹部の開口面が中枠用カバー材によって覆われると共に、前記濾材の開放端周りが前記中枠用カバー材と前記中枠材とに挟持されて当該濾材が支持されるようにしたことを特徴とする吹き流し形フィルタ。
【請求項２】
中枠用カバー材が、中枠材に濾材の開放端周りを介して抜け止め状態に固定されるようになっており、前記中枠用カバー材の構成部材である枠片が、前記中枠材に吹き流し形フィルタの側面から取り付けられ、前記枠片が両端部で連結され一体化されて当該中枠用カバー材が構成されていることを特徴とする請求項１記載の吹き流し形フィルタ。
【請求項３】
支持部材が、支持棒と該支持棒の外側に抜け止め状態に固定される断面コ字形又はＣ字形の支持棒用カバー材からなることを特徴とする請求項１又は２のいずれかに記載の吹き流し形フィルタ。
【請求項４】
中枠材に中枠用カバー材を固定させたとき、前記中枠材と前記中枠用カバー材とからなる外枠に、根元にくびれ部を有する端部突起を両端に設けた支持棒の前記端部突起を受容する空隙と前記くびれ部を受容する受け穴とが形成されるようになっており、前記外枠の空隙に支持棒の端部突起を受容させ、前記外枠の受け穴に支持棒のくびれ部を受容させることにより、前記外枠に支持棒を抜け止め状態に固定するようにしたことを特徴とする請求項１〜３のいずれかに記載の吹き流し形フィルタ。
【請求項５】
保持枠が可燃性の材料のみから形成されることを特徴とする請求項１〜４のいずれかに記載の吹き流し形フィルタ。
【請求項６】
可燃性の材料のみから形成されることを特徴とする請求項１〜５のいずれかに記載の吹き流し形フィルタ。
【発明の詳細な説明】
【技術分野】
【０００１】
本発明は、一般ビルの空調設備、工場空調設備、電算機室や病院の空調設備などに使用されるフィルタであって、塵埃に対して高い捕集効率と低い圧力損失で塵埃保持容量が極めて大きく、長期使用が可能であり、特に中高性能フィルタに適した吹き流し形フィルタに関する。
【背景技術】
【０００２】
従来、吹き流し形フィルタとしては本出願人による製品が知られている（非特許文献１参照）。図３７及び図３８に示すように、この吹き流し形フィルタ１にあっては、該フィルタ１の空気流入口の周囲に木枠３が設けられている。木枠３は、該フィルタ１の空気流入口の周囲を構成する枠３ａと、枠３ａ内を仕切る枠３ｂとからなり、これら枠３ａ及び枠３ｂがタッカーなどで接合されている。
【０００３】
また木枠３には、複数の袋状の濾材２の入口部周囲の端部がタッカーなどで打ち付けられ、この濾材２端部と共に木枠３は、断面コ字形の亜鉛引き鋼板４からなる側板、天地板及び仕切板で覆われている。また、濾材２には保護材５が取り付けられている。保護材５は、濾材２が屈曲により、側板などを構成する亜鉛引き鋼板の角で破損するのを防止するためのものである。
【０００４】
上記吹き流し形フィルタ１にあっては、その組立時に木枠３の組立が必要であり、また、その木枠３には濾材２の入口部周囲の端部をタッカーなどで一つ一つ止めていかなければならず、組み立て工程が非常に煩雑であった。また、この吹き流し形フィルタ１にあっては、濾材２の破損防止のために保護材５を取り付けるなど、濾過性能には直接寄与しない部品も必要としていた。
【０００５】
一方、特許文献１には、図３９及び図４０に示すように『方形枠状に形成されたフィルタ枠１４の互いに対向する２本の上、下枠板１４ａ、１４ｂに凹部１５を刻設すると共に、凹部１５に嵌合掛止する突部１６ａを各先端に突設した掛止板１６を設け、且つ各掛止板１６にバッグ状濾材１１の接合容着線１２の裏面側を載置して、各突部１６ａを夫々前記凹部１５に嵌合掛止し、バッグ状濾材１１の上端縁を接着剤により２本の左、右枠板１４ｂの全面側に貼着固定すると共に、バッグ状濾材１１の開口部５を上・下枠板１４ａ、１４ｂの全面側に貼着固定して、更にフィルタ枠１４の前面に方形の押え枠１７を、プラスチックスステーブル１８で一体に固着したフィルタ装置１９』（特許文献１の図６及び図７参照）が記載されている。
【０００６】
しかし、このフィルタ装置では、バッグ状濾材の開口部を枠板に貼着固定する必要あり、組み立ての作業工程には、接着やステープルで一体化する手間がかかり、接着に要する時間も掛かり、また接着剤の材料費が多く掛かってしまうという問題があった。
【０００７】
また特許文献２には、図４１及び図４２に示すように『環状空洞２６を有する環形の濾材受け部材２４と、環状空洞２６に設けられる弾性変形する濾材押え部材２５とを含むフレーム２３を用いて、バッグ状濾材２２の周辺部を濾材受け部材２４と濾材押え部材２５の間に挟持してバッグ状濾材２２を固定し、かつ濾材押え部材２５を弾性変形することによりバッグ状濾材２２の周辺部を解放するように構成されたエアフィルタ装置２１』（特許文献２の図１及び図２参照）が記載されている。
【０００８】
しかし、このエアフィルタ装置では、フレームに要する材料費は節約できるものの、使用済みのバッグ状濾材と新品のバッグ状濾材の交換を現場で行う必要があり、そのため人件費が非常に大きなものになってしまい、かえってメンテナンスに要する費用が高くなってしまうという問題があった。
【非特許文献１】日本バイリーン株式会社の２００１年６月発行の製品カタログ（製品名ＶＧ−９０ＶＧ−９８）
【特許文献１】実公平７−１３７７７号公報
【特許文献２】特開２００６−２１１０２号公報
【発明の開示】
【発明が解決しようとする課題】
【０００９】
本発明は、このような課題に鑑みなされたものであり、接着剤を必ずしも必要とせずに仮止めすることが容易であり、組み立て工程に手間が掛からず、材料コストも低く抑えることができる吹き流し形フィルタを提供することを目的とするものである。
【課題を解決するための手段】
【００１０】
上記目的を達成するため、請求項１記載の発明は、複数の袋状の濾材が並設して保持枠に取り付けられている吹き流し形フィルタにおいて、
前記保持枠が、当該吹き流し形フィルタの空気流入口周囲に配される外枠と、前記外枠内を仕切るように配される支持部材とからなり、
前記外枠が、凹部が形成された中枠材と断面コ字形またはＣ形の中枠用カバー材とからなり、
前記中枠材の凹部に前記濾材の開放端周りの一部を挿入した状態で前記中枠用カバー材を前記中枠材に固定することで、前記中枠材の凹部の開口面が中枠用カバー材によって覆われると共に、前記濾材の開放端周りが前記中枠用カバー材と前記中枠材とに挟持されて当該濾材が支持されるようにしたことを特徴とする吹き流し形フィルタをその要旨とした。
【００１１】
請求項２記載の発明は、中枠用カバー材が、中枠材に濾材の開放端周りを介して抜け止め状態に固定されるようになっており、前記中枠用カバー材の構成部材である枠片が、前記中枠材に吹き流し形フィルタの側面から取り付けられ、前記枠片が両端部で連結され一体化されて当該中枠用カバー材が構成されていることを特徴とする請求項１記載の吹き流し形フィルタをその要旨とした。
【００１２】
請求項３記載の発明は、支持部材が、支持棒と該支持棒の外側に抜け止め状態に固定される断面コ字形又はＣ字形の支持棒用カバー材からなることを特徴とする請求項１又は２のいずれかに記載の吹き流し形フィルタをその要旨とした。
【００１３】
請求項４記載の発明は、中枠材に中枠用カバー材を固定させたとき、前記中枠材と前記中枠用カバー材とからなる外枠に、根元にくびれ部を有する端部突起を両端に設けた支持棒の前記端部突起を受容する空隙と前記くびれ部を受容する受け穴とが形成されるようになっており、前記外枠の空隙に支持棒の端部突起を受容させ、前記外枠の受け穴に支持棒のくびれ部を受容させることにより、前記外枠に支持棒を抜け止め状態に固定するようにしたことを特徴とする請求項１〜３のいずれかに記載の吹き流し形フィルタをその要旨とした。
【００１４】
請求項５記載の発明は、保持枠が可燃性の材料のみから形成されることを特徴とする請求項１〜４のいずれかに記載の吹き流し形フィルタをその要旨とした。
【００１５】
請求項６記載の発明は、可燃性の材料のみから形成されることを特徴とする請求項１〜５のいずれかに記載の吹き流し形フィルタをその要旨とした。
【発明の効果】
【００１６】
本発明は、複数の袋状の濾材が並設して保持枠に取り付けられている吹き流し形フィルタにおいて、前記保持枠が、当該吹き流し形フィルタの空気流入口周囲に配される外枠と、前記外枠内を仕切るように配される支持部材とからなり、前記外枠が、凹部が形成された中枠材と断面コ字形またはＣ形の中枠用カバー材とからなり、前記中枠材の凹部に前記濾材の開放端周りの一部を挿入した状態で前記中枠用カバー材を前記中枠材に固定することで、前記中枠材の凹部の開口面が中枠用カバー材によって覆われると共に、前記濾材の開放端周りが前記中枠用カバー材と前記中枠材とに挟持されて当該濾材が支持されるようにしたことから、濾材の開放端周りを中枠材に取り付ける際に、接着剤を必ずしも必要とせずに仮止めすることが容易となり、組み立て工程に手間が掛からず、材料コストも低く抑えることができる、との効果を奏する。
【発明を実施するための最良の形態】
【００１７】
以下、本発明の吹き流し形フィルタを図面に示した一実施の形態に従ってさらに詳しく説明する。図１に示すように、本発明の吹き流し形フィルタ１００は複数の袋状の濾材１０１が並設して保持枠１０２に取り付けられたものである。
【００１８】
図１に示すフィルタ１００では、６個の袋状の濾材１０１が並設して保持枠１０２に取り付けられており、各濾材１０１の開放端部同士は超音波ホッチキスなどで接合されている。また図２に示すように、袋状の濾材１０１を構成する濾材片１０１ａと濾材片１０１ｂとの間にはセパレータ１１１が縫製又は超音波接着などで断面コの字状に接合されていて、濾材１０１の間隔が保持されるようになっている。
【００１９】
上記濾材１０１の種類としては特に限定されず、例えば、ガラスマットと不織布が積層された濾材、メルトブロー法によって極細繊維を形成している過程で短繊維を吹き込み、極細繊維と短繊維とを混合して得られる濾材など、従来より吹き流し形フィルタとして使用されている濾材をそのまま使用することができる。また濾材１０１には、スパンボンド不織布やネットなどの布帛を補強材として積層したものも好適に使用できる。
【００２０】
濾材１０１の面密度も特に限定されないが、好ましくは４０〜４００ｇ／ｍ2、より好ましくは６０〜３００ｇ／ｍ2、さらに好ましくは８０〜２５０ｇ／ｍ2である。濾材１０１の厚さも限定されないが、好ましくは３〜２０ｍｍ、より好ましくは４〜１５ｍｍ、さらに好ましくは５〜１０ｍｍである。
【００２１】
濾材１０１の具体例としては、例えばメルトブロー法によって製造された平均繊維径が０．１〜１０ミクロンの極細繊維５〜５０質量％と、平均繊維径が１０〜１００ミクロンの熱融着性繊維５０〜９５質量％とが混在し、前記熱融着性繊維の熱融着によって繊維相互が固定された不織布からなる濾材を挙げることができる。この濾材１０１の場合、ＪＩＳ比色法効率（ＪＩＳＢ９９０８に規定される試験値）９５％以上の高性能フィルタ、同比色法効率９０％以上の準高性能フィルタ、同比色法効率８０％以上の中性能フィルタに適合させることができる。
【００２２】
濾材１０１の材質としては、環境に悪影響を与え難い材料として可燃性材料のみからなることが望ましい。そのような材質とすることで、使用後の廃棄時に分別処理が不要となる上、熱源としてリサイクルすることが可能となる。また、濾材には難燃剤を含ませることもできる。この場合、リン系などのノンハロゲン系の材料とするのが望ましい。
【００２３】
袋状の濾材１０１を構成する濾材片１０１ａと濾材片１０１ｂとの間の間隔を保持する目的で取り付けられるセパレータ１１１としては、図２に示す断面コの字形のほか、Ｗ状や菱形状とすることもできる。また、セパレータ１１１の材質も濾材と同じく可燃性材料を用いることが望ましい。
【００２４】
次に、保持枠について説明する。この吹き流し形フィルタ１００において、保持枠１０２は、当該吹き流し形フィルタ１００の空気流入口周囲に配される外枠１０３と、前記外枠１０３内を仕切るように配される支持部材１０４とからなる。
【００２５】
外枠１０３は中枠材１０６と中枠用カバー材１０５とからなる。図１及び図３〜図８に示すように、中枠材１０６は、当該吹き流し形フィルタ１００の空気流入口に対応する四角状の枠材であり、上下に対抗させる一対の中枠片１０６ａと左右に対抗させる一対の中枠片１０６ｂとからなる。中枠片１０６ａの両端部にはそれぞれコーナーピース１１２が設けられており、中枠片１０６ｂの両端部には前記各コーナーピース１１２を受け入れる受容部１１３がそれぞれ形成されており、前記中枠片１０６ｂ両端部の受容部１１３に中枠片１０６ａ両端部のコーナーピース１１２を差し込んで、中枠片１０６ａと中枠片１０６ｂの各端部を接合することによって中枠材１０６が形成されるようになっている。
【００２６】
図１に示すフィルタ１００の場合、中枠片１０６ａと中枠片１０６ｂの各端部のコーナーピース１１２と受容部１１３にホットメルト接着剤を塗布し、これらを接合することにより、中枠片１０６ａと中枠片１０６ｂとを一体化し中枠材１０６を形成している。
【００２７】
尚、中枠片１０６ａと中枠片１０６ｂとを接合し一体化するに際し、必ずしも接着剤を使用する必要はなく、中枠片１０６ｂ両端部の受容部１１３に中枠片１０６ａの両端部のコーナーピース１１２を差し込んだ後、超音波溶着によって中枠片１０６ａと中枠片１０６ｂの各端部を接合することが可能であり、また、中枠片１０６ａの各端部のコーナーピース１１２を中枠片１０６ｂの各端部の受容部１１３に差し込んで接合するだけであってもよい。また中枠材１０６は、中枠片１０６ａと中枠片１０６ｂとを組み立てる形態のほか、はじめから四角状の枠材として一体化されている形態を採ることも可能である。
【００２８】
また中枠材１０６には凹部１１４が設けられている。図２７及び図２８に示すように、凹部１１４は、当該凹部１１４内に濾材１０１の開放端周り１０１ｃを押し入れ、この状態で後述する中枠用カバー材１０５を前記中枠材１０６に固定することで、前記中枠材１０６の凹部１１４の開口面が中枠用カバー材１０５によって覆われると共に、前記濾材１０１の開放端周り１０１ｃが前記中枠用カバー材１０５と前記中枠材１０６とに挟持されて当該濾材１０１が支持されるようになっている。
【００２９】
中枠材１０６の凹部１１４の形状は特に限定されず、穴形状であっても、スリットや溝形状であってもよい。図３〜図８に示す凹部１１４は、中枠片１０６ａ又は中枠片１０６ｂの長さ方向に沿って形成された溝形状をなしており、当該凹部１１４はリブ１１５によって複数の溝に仕切られている。このため、上記のように中枠片１０６ａと中枠片１０６ｂの各端部を接合して組み立てたとき、得られる中枠材１０６は、当該リブ１１５によって補強され変形し難くなっている。
【００３０】
また、中枠材１０６の凹部１１４の数や位置も任意である。図９〜図１１に示すように、中枠片１０６ａ’又は中枠片１０６ｂ’の長さ方向に沿って形成したリブのない１つの長溝形状をなす凹部１１４とすることもできる。この形態の場合、リブ１１５による補強が必要でないような中枠材１０６に好適である。
【００３１】
また中枠材１０６の上下位置に配される各中枠片１０６ａには、所定間隔に切り欠き１１６が設けられている。このため、図２８に示すように、当該中枠材１０６に中枠用カバー材１０５を固定させたとき、後述する支持棒１０８の両端に設けた根元にくびれ部１０８ａを有する端部突起１０８ｂを受容する空隙１１７と前記くびれ部１０８ａを受容する受け穴１１８とが形成されるようになっている。そして、これら各中枠片１０６ａに所定間隔に設けた切り欠き１１６を通して支持棒１０８の端部突起１０８ｂを凹部１１４内に入れ、この状態で当該中枠材１０６に中枠用カバー材１０５を固定させることで、外枠１０３に形成される空隙１１７に支持棒１０８の端部突起１０８ｂを受容させ、同時に外枠１０３に形成される受け穴１１８にくびれ部１０８ａを受容させて、前記外枠１０３に支持棒１０８を抜け止め状態に固定できるようになっている。
【００３２】
尚、支持棒１０８の端部突起１０８ｂを凹部１１４内に入れて固定するに当たり、端部突起１０８ｂを凹部１１４内に入れた後に、超音波溶着によってより確実に固定することが可能であり、また、予めホットメルト接着剤を端部突起１０８ｂに塗布してから、端部突起１０８ｂを凹部１１４内に入れて、より確実に固定することも可能である。
【００３３】
中枠用カバー材１０５は、上記中枠材１０６に濾材１０１の開放端周り１０１ｃを介して抜け止め状態に固定される外枠１０３を構成する構成部材である。この中枠用カバー材１０５は断面コ字形またはＣ形をなしており、前記中枠材１０６に固定することで、前記中枠材１０６の凹部１１４の開口面が中枠用カバー材１０５によって覆われると共に、前記濾材１０１の開放端周り１０１ｃが前記中枠用カバー材１０５と前記中枠材１０６とに挟持されて当該濾材１０１が支持されるようになっている。
【００３４】
尚、中枠材１０６を中枠用カバー材１０５内に抜け止め状態に固定するにあたり、より確実に固定するには、図２８または図３６に示すように、中枠用カバー材１０５の開口縁部に内側に向かう突起１０５ｃが設けられていることが好ましい。このような構造とすれば、この中枠用カバー１０５の開口を通して中枠材１０６を中枠用カバー１０５内部に挿入した後に中枠材１０６を中枠用カバー材１０５内部から引き抜こうとしても、中枠材１０６が開口部分で引っ掛かるので、より確実に抜け止め状態になるのである。
【００３５】
中枠用カバー材１０５は、はじめから四角状の枠材として一体化されている形態のほか、図１５〜図２０に示すように、上下位置に対抗して配される一対の枠片１０５ａと、左右位置に対抗して配される一対の枠片１０５ｂとから四角状の枠材を構成してなり、これらの枠片１０５ａ、１０５ｂの両端部を接合して四角状の中枠用カバー材１０５に組み立てるようにしたものであっても良い。
【００３６】
図１５〜図１７に示す枠片１０５ａは断面コ字形またはＣ形をなしており、その両端部にはコーナーピース１１９が設けられている。一方、図１８〜図２０に示す枠片１０５ｂも断面コ字形またはＣ形をなしており、その両端部には前記枠片１０５ａの各コーナーピース１１２を受け入れる受容部１２０がそれぞれ形成されている。そして、枠片１０５ｂ両端部の受容部１２０に枠片１０５ａ両端部のコーナーピース１１９を差し込んで、枠片１０５ａと枠片１０５ｂの各端部を接合することによって中枠用カバー材１０５が形成されるようになっている。
【００３７】
図１に示すフィルタ１００の場合、枠片１０５ａと枠片１０５ｂの各端部のコーナーピース１１９と受容部１２０にホットメルト接着剤を塗布し、これらを接合することにより、枠片１０５ａと枠片１０５ｂとを一体化し中枠用カバー材１０５を形成している。
【００３８】
尚、枠片１０５ａと枠片１０５ｂとを接合し一体化するに際し、必ずしも接着剤を使用する必要はなく、枠片１０５ｂ両端部の受容部１２０に枠片１０５ａ両端部のコーナーピース１１９を差し込んだ後に、超音波溶着によって、枠片１０５ａと枠片１０５ｂの各端部を接合することも可能であり、また、枠片１０５ａの各端部のコーナーピース１１９を枠片１０５ｂの各端部の受容部１２０に差し込んで接合するだけであってもよい。
【００３９】
図１５〜図２０に示す枠片１０５ａ、１０５ｂによって構成される中枠用カバー材１０５の場合、これら枠片１０５ａ、１０５ｂは、中枠材１０６に、当該吹き流し形フィルタ１００の側面から取り付けられ、上述のように枠片１０５ａ、１０５ｂの各端部を接合し組み立てられるようになっている。このような構造とすることによって、中枠用カバー材１０５を容易に形成することができると同時に、中枠用カバー材１０５が中枠材１０６から外れるようなリスクが少なくなり、濾材１０１の開放端周り１０１ｃを確実に固定できるという利点がある。
【００４０】
次に、支持部材について説明する。支持部材１０４は前記外枠１０３内を仕切るように配される。図１及び図２１〜図２６に示す形態では、５個の支持部材１０４が外枠１０３内に配されて該外枠１０３内を６つに仕切っている。この支持部材１０４は、支持棒用カバー材１０７とこの支持棒用カバー材１０７内に抜け止め状態に固定される支持棒１０８とからなる。
【００４１】
図２４〜図２６に示すように、支持棒用カバー材１０７は断面コ字形又はＣ字形をなしており、この支持棒用カバー材１７の開口縁部には内側に向かう突起１０７ａが設けられている。このため、この支持棒用カバー材１０７の開口を通して支持棒１０８を支持棒用カバー材１０７内部に挿入した後に、支持棒１０８を支持棒用カバー材１０７内部から引き抜こうとしても、支持棒１０８が開口部分で引っ掛かる。このように、該支持棒１０８を支持棒用カバー材１０７内に抜け止め状態に固定できるようになっているのである。そして、図２７〜図３０に示すように、支持棒１０８を図３０中矢印に示すように支持棒用カバー材１０７内に濾材１０１の開放端周り１０１ｃと共に押し込みながら挿入することで、濾材１０１の開放端周り１０１ｃを支持棒用カバー材１０７と支持棒１０８とで挟持させ、濾材１０１の支持がなされるようになっている。
【００４２】
図２１〜図２３に示すように、支持棒１０８の両端部には、根元にくびれ部１０８ａを有する端部突起１０８ｂが設けられており、図２８に示すように、前記中枠用カバー１０５を中枠材１０６に固定することで形成される外枠１０３の空隙１１７に支持棒１０８の端部突起１０８ｂを受容させ、外枠１０３の受け穴１１１８に支持棒１０８のくびれ部１０８ａを受容させることにより、前記外枠１０３に支持棒１０８が抜け止め状態に固定されるようになっている。このような構造によって支持棒１０８が外枠１０３から抜けるというリスクが無く、また支持棒１０８がくっついたりせず、外枠１０３に支持棒１０８を確実に、しかも容易に固定できるという利点がある。
【００４３】
上述した保持枠１０２の材質としては、木材、金属、合成樹脂など特に限定されないが、環境に悪影響を与え難い材料として可燃性材料のみからなることが望ましい。そのような材質とすることで、使用後の廃棄時に分別処理が不要となる上、熱源としてリサイクルすることが可能となる。また、保持枠には難燃剤を含ませることもできる。この場合、リン系などのノンハロゲン系の材料とするのが望ましい。
【００４４】
次に、実際の組み立て方法を説明しながら、各部品の詳細な説明を行う。
まず、図２に示すように、袋状の濾材１０１に予めセパレータ１１１を、縫製または接着により取り付けておく。例えば濾材片１０１ａと濾材片１０１ｂの間にセパレータ１１１を縫製または超音波接着などにより断面コの字形に設けておく。このような袋状の濾材１０１を６個準備して、これらの袋状の濾材の開放端周り１０１ｃを超音波ホッチキスなどで部分的に接合し、６個の袋状の濾材１０１を連結する。
【００４５】
次いで、図３〜図５に示す中枠片１０６ａの両端部にあるコーナーピース１１２にホットメルト接着剤を塗布し、これを図６〜図８に示す中枠片１０６ｂの両端部の受容部１１３に差し込み、これらを接合して中枠材１０６（図３１）を形成する。あるいはホットメルト接着剤を塗布せずに、中枠片１０６ｂの両端部の受容部１１３に差し込んだ後に超音波溶着によって、これらを接合して中枠材１０６（図３１）を形成する。
【００４６】
次いで、図３〜図５、図２２〜図２３並びに図３２に示すように、中枠材１０６の上下辺を構成する中枠片１０６ａの切り欠き１１６を通して支持棒１０８両端部の根元にくびれ部１０８ａを有する端部突起１０８ｂを嵌め込み、ホットメルト接着剤によって接合する。
【００４７】
次いで、図３３に示すように、支持棒１０８を接合した中枠材１０６上に連結された６個の袋状の濾材１０１を乗せ、図３０に示すように支持棒用カバー材１０７を、濾材１０１の開放端周り１０１ａの接合部を介して、支持棒１０８の上に被せ、支持棒用カバー材１０７内に支持棒１０８を抜け止め状態に固定する。
【００４８】
尚、図３０に示す各濾材１０１の開放端周り１０１ｃの接合部分に当たる部分を支持棒用カバー材１０７と支持棒１０８とで挟持させた後に、支持部材１０４を図３１に示す中枠材１０６に接合することも可能である。
【００４９】
次いで、図３４に示すように、中枠材１０６の周囲に濾材１０１の開放端周り１０１ｃを被せ、図３５に示すように、中枠材１０６に形成されている溝状の凹部１１４内にへら１２１を用いて、濾材１０１の開放端周り１０１ｃを挿入し、中枠材１０６に濾材１０１の開放端周り１０１ｃを仮止めする。この際に、溝状の凹部１１４から濾材１０１の開放端周り１０１ｃがはみ出すようにしておくことが好ましい。
【００５０】
この後、図３６、図１５〜図２０に示すように、中枠用カバー材１０５を、中枠材１０６の凹部１１４の上方から、濾材１０１の開放端周り１０１ｃの接合部を介して、中枠材１０６に抜け止め状態に固定する。このとき、中枠用カバー材１０５の上下辺を構成する枠片１０５ａ両端部のコーナーピース１１９にホットメルト樹脂を付着させておき、これらコーナーピース１１９を中枠用カバー材１０５の左右辺を構成する枠片１０５ｂの両端部の受容部１２０に差し込み、枠片１０５ａ、１０５ｂ相互を連結することにより、中枠用カバー１０５が形成され、同時に外枠１０３が形成されることになる。あるいはホットメルト樹脂を付着しないで、コーナーピース１１９を受容部１２０に差し込んだ後に超音波溶着によって枠片１０５ａ、１０５ｂ相互を連結することにより、中枠用カバー１０５が形成されると同時に外枠１０３が形成されることになる。
【００５１】
以上の組立手順により、濾材１０１の開放端周り１０１ａが中枠用カバー材１０５と前記中枠材１０６とに挟持されて当該濾材１０１が支持されたフィルタ１００の組立が完了する。
【００５２】
本発明のフィルタの全体の大きさとしては特に限定されないが、好ましくは外枠１５の外寸が２００〜８００ｍｍであり、実用的は、例えば２９０ｍｍ、３０５ｍｍ、５９５ｍｍ、６５０ｍｍなどの寸法を採用することができる。また、支持部材間の距離も特に限定されないが、好ましくは５０〜１５０ｍｍを採用することができる。
【００５３】
尚、本発明のフィルタは、上述の例に限定されず、特許請求の範囲に記載された範囲で自由に変更して実施することができる。
【図面の簡単な説明】
【００５４】
【図１】本発明のフィルタの全体を示す斜視図。
【図２】袋状の濾材を構成する濾材片間にセパレータが断面コの字状に接合されている状態を示す拡大図。
【図３】本発明のフィルタにおける外枠の中枠材を構成する中枠片１０６ａを示す斜視図。
【図４】同じく平面図。
【図５】同じく正面図。
【図６】本発明のフィルタにおける外枠の中枠材を構成する中枠片１０６ｂを示す斜視図。
【図７】同じく平面図。
【図８】同じく正面図。
【図９】本発明のフィルタにおける外枠の中枠材を構成する中枠片１０６ａのリブのない別形態を示す斜視図。
【図１０】同じく平面図。
【図１１】同じく正面図。
【図１２】本発明のフィルタにおける外枠の中枠材を構成する中枠片１０６ｂのリブのない別形態を示す斜視図。
【図１３】同じく平面図。
【図１４】同じく正面図。
【図１５】本発明のフィルタにおける外枠の中枠材を構成する中枠片１０５ａを示す斜視図。
【図１６】同じく平面図。
【図１７】同じく正面図。
【図１８】本発明のフィルタにおける外枠の中枠材を構成する中枠片１０５ｂを示す斜視図。
【図１９】同じく平面図。
【図２０】同じく正面図。
【図２１】本発明のフィルタにおける支持部材を構成する支持棒を示す斜視図。
【図２２】同じく平面図。
【図２３】同じく正面図。
【図２４】本発明のフィルタにおける外枠の支持部材を構成する支持棒用カバーを示す斜視図。
【図２５】同じく平面図。
【図２６】同じく正面図。
【図２７】図１のＡ−Ａ断面図。
【図２８】図１のＢ−Ｂ断面図。
【図２９】図１のＣ−Ｃ断面図。
【図３０】濾材の開放端周りの接合部を介して、支持棒を支持棒用カバー材内に抜け止め状態に固定する過程を示す拡大断面図。
【図３１】中枠片の各両端部を接合して形成した中枠材を示す斜視図。
【図３２】中枠材に支持棒を接合した状態を示す斜視図。
【図３３】支持棒を接合した中枠材上に濾材を配置した状態を示す斜視図。
【図３４】中枠材周囲に濾材の開放端周りを被せる前の状態を示す拡大断面図。
【図３５】中枠材の凹部１１４内にへらを用いて、濾材の開放端周りを挿入し、中枠材に濾材の開放端周りを仮止めする状態を示す拡大断面図。
【図３６】中枠用カバー材を中枠材の凹部の上方から、濾材の開放端周りの接合部を介して、中枠材に抜け止め状態に固定する状態を示す拡大断面図。
【図３７】従来のフィルタを示す斜視図。
【図３８】従来のフィルタの木枠と、この木枠に取り付けられる濾材とを示す拡大断面図。
【図３９】従来の別の濾材ユニットをフィルタ枠に取り付けた状態を示す斜視図。
【図４０】同じく濾材ユニットを示す斜視図。
【図４１】従来の別のエアフィルタ装置の一部破断斜視図。
【図４２】図４１のＸ−Ｘ線で囲まれた部分の拡大断面図。
【符号の説明】
【００５５】
１０１    ・・・濾材
１０１ａ、１０１ｂ  ・・・濾材片
１０１ｃ  ・・・開放端周り
１０２    ・・・保持枠
１０３    ・・・外枠
１０４    ・・・支持部材
１０５    ・・・中枠用カバー材
１０５ａ、１０５ｂ  ・・・枠片
１０６    ・・・中枠材
１０６ａ、１０６ｂ  ・・・中枠片
１０７    ・・・支持棒用カバー材
１０８    ・・・支持棒
１０８ａ  ・・・くびれ部
１０８ｂ  ・・・端部突起
１１４    ・・・凹部
１１７    ・・・空隙
１１８    ・・・受け穴
【図１】
2008006366.tif 000003
【図２】
2008006366.tif 000004
【図３】
2008006366.tif 000005
【図４】
2008006366.tif 000006
【図５】
2008006366.tif 000007
【図６】
2008006366.tif 000008
【図７】
2008006366.tif 000009
【図８】
2008006366.tif 000010
【図９】
2008006366.tif 000011
【図１０】
2008006366.tif 000012
【図１１】
2008006366.tif 000013
【図１２】
2008006366.tif 000014
【図１３】
2008006366.tif 000015
【図１４】
2008006366.tif 000016
【図１５】
2008006366.tif 000017
【図１６】
2008006366.tif 000018
【図１７】
2008006366.tif 000019
【図１８】
2008006366.tif 000020
【図１９】
2008006366.tif 000021
【図２０】
2008006366.tif 000022
【図２１】
2008006366.tif 000023
【図２２】
2008006366.tif 000024
【図２３】
2008006366.tif 000025
【図２４】
2008006366.tif 000026
【図２５】
2008006366.tif 000027
【図２６】
2008006366.tif 000028
【図２７】
2008006366.tif 000029
【図２８】
2008006366.tif 000030
【図２９】
2008006366.tif 000031
【図３０】
2008006366.tif 000032
【図３１】
2008006366.tif 000033
【図３２】
2008006366.tif 000034
【図３３】
2008006366.tif 000035
【図３４】
2008006366.tif 000036
【図３５】
2008006366.tif 000037
【図３６】
2008006366.tif 000038
【図３７】
2008006366.tif 000039
【図３８】
2008006366.tif 000040
【図３９】
2008006366.tif 000041
【図４０】
2008006366.tif 000042
【図４１】
2008006366.tif 000043
【図４２】
2008006366.tif 000044